(57)【要約】【課題】原稿をプラテンガラス上の基準位置に通常通りセットすれば、自動的にコピーすべき領域を認識し、原稿の必要な部分のみをコピーすることができる画像形成装置を提供する。【解決手段】通常の読み取り用の緑色光源４ｂの他に、赤色光源４ｃを備え、指定領域として緑色マーク２２を手書きした原稿を読み取り部にセットし、領域指定コピーキー６ａが押下されると（ＳＴ１）、緑色光源４ｂをＯＮし、第１読み取り画像データを得る（ＳＴ２、ＳＴ３）。次に、赤色光源４ｃをＯＮし、第２読み取り画像データを得る（ＳＴ４、ＳＴ５）。次に第１と第２の読み取り画像データからマーク２２の画像データを抽出し、このマーク２２の画像データに基づき、第１読み取り画像データのうち、マーク２２で囲まれた読み取り画像データのみを、コピーすべき指定領域データとして抽出する（ＳＴ６、ＳＴ７）。【選択図】　　　図２
2004104198.tif 000002
【特許請求の範囲】
【請求項１】
原稿に光を照射した際の反射光に基づいて、原稿に記述された指定領域を検出する指定領域検出手段と、
原稿の画像を読み取って読取画像データを得る画像読取手段と、
読取画像データに基づいて記録紙に画像記録を行う画像記録手段と、
検出した指定領域の読取画像データを選択的に画像記録するように制御する制御手段と、
を備えたことを特徴とする画像形成装置。
【請求項２】
前記画像読取手段は、第１色の光を発光する光源を備え、前記指定領域検出手段は、第２色の光を発光する光源を備え、この指定領域検出手段は、第１色の光を原稿に照射した際の反射光から得た第１読取画像データと、第２色の光を原稿に照射した際の反射光から得た第２読取画像データとの相違点に基づいて指定領域を検出することを特徴とする請求項１記載の画像形成装置。
【請求項３】
前記指定領域検出手段は、ブラックライトを原稿に照査した際の反射光から得た読取画像データに基づいて指定領域を検出するものであることを特徴とする請求項１記載の画像形成装置。
【発明の詳細な説明】
【０００１】
【発明の属する技術分野】
この発明は、複写機、ファクシミリ装置、複合機等の画像形成装置に関する。
【０００２】
【従来の技術】
従来の画像形成装置において、原稿の一部のみを等倍又は拡大／縮小コピーすることができる。この場合、コピー画像が用紙の所定領域に来るように、プラテンガラス上の所定位置に原稿をセットしている。また、原稿の所望の部分のみをコピーできるように、読み取った画像を大画面に表示し、その表示画像に対してタッチペンなどで領域を指定して必要な画像編集をなし得る画像形成装置が文献に開示されている（例えば、特許文献１参照）。
【０００３】
【特許文献１】
特開平６−１２１１５２号公報
【０００４】
【発明が解決しようとする課題】
従来の画像形成装置では、原稿の一部のみを等倍又は拡大／縮小してコピーする場合、コピー画像が用紙の所定領域に来るようにプラテンガラス上の所定位置に原稿をセットする必要がある。このセットを正確に行うのが大変である上、その場合、原稿の一部のみをコピーしたいにも関わらず、その周辺の不要な部分までコピーされてしまうという問題がある。
【０００５】
上記文献に開示の技術では、コピーの必要な部分をタッチペン等で指定できるので、上記セットの煩わしさは解消されるが、領域指定のため、表示用の大画面を必要とする。
【０００６】
この発明は上記問題点に着目してなされたものであって、原稿をプラテンガラス上の基準位置（例：コーナー合わせ位置）に通常通りセットすれば、装置が自動的にコピーすべき領域を認識し、原稿の必要な部分のみをコピーすることができる画像形成装置を提供することを目的としている。
【０００７】
【課題を解決するための手段】
この発明の画像形成装置は、原稿に光を照射した際の反射光に基づいて、原稿に記述された指定領域を検出する指定領域検出手段と、原稿の画像を読み取って読取画像データを得る画像読取手段と、読取画像データに基づいて記録紙に画像記録を行う画像記録手段と、検出した指定領域の読取画像データを選択的に画像記録するように制御する制御手段と、を備えている。
【０００８】
この発明の画像形成装置において、前記画像読取手段は、第１色の光を発光する光源を備え、前記指定領域検出手段は、第２色の光を発光する光源を備え、この指定領域検出手段は、第１色の光を原稿に照射した際の反射光から得た第１読取画像データと、第２色の光を原稿に照射した際の反射光から得た第２読取画像データとの相違点に基づいて指定領域を検出すると良い。
【０００９】
また、この発明の画像形成装置は、前記指定領域検出手段は、ブラックライトを原稿に照査した際の反射光から得た読取画像データに基づいて指定領域を検出するものとしても良い。
【００１０】
【発明の実施の形態】
以下、実施の形態により、この発明をさらに詳細に説明する。この発明の画像形成装置の一実施形態である複合機の構成例であるブロック図を図１に示す。この実施形態複合機は、主制御部（ＣＰＵ）１と、ＮＣＵ（網制御部）２と、ＭＯＤＥＭ３と、スキャナ４と、画像処理部５と、操作部６と、表示部（ＬＣＤ）７と、ＬＡＮＩ／Ｆ８と、ＲＯＭ９と、ＲＡＭ（ＳＲＡＭ等）１０と、画像メモリ（ＤＲＡＭ等）１１と、ＣＯＤＥＣ（符号化・復号化器）１２と、プリンタ（画像記録部）１３と、を備えている。
【００１１】
主制御部１は、ＲＯＭ９に書き込まれている制御プログラムに従い、ＲＡＭ１０を作業領域として装置の全体制御を実行する。ＮＣＵ２は、主制御部１により制御されて、回線１５と当該複合機との接続を制御するとともに、通信相手の電話番号に応じたダイヤルパルスを送出する機能及び着信を検出する機能を有する。なお回線１５は、一般公衆電話回線網（ＰＳＴＮ）に接続されている。ＭＯＤＥＭ３は、送受信データの変復調、具体的には本来はデジタル信号である送信データをアナログの音声信号に変調してＮＣＵ２を介して回線１５に送出し、また逆に回線１５からＮＣＵ２を介して受信したアナログの音声信号をデジタル信号に復調する。
【００１２】
スキャナ４は、所定の読み取り線密度で原稿画像を光学的に読み取って画情報を得る。画像処理部５は、スキャナ４で得た画情報に対し、２値化、シェーディング補正等の画像処理を行う。操作部６は、領域指定コピーキー６ａの他、ＦＡＸモード（通信モード）、コピーモード、スキャナモード等の複数のモードを切り替えるモード切替キー、スタートキー、ワンタッチキー、テンキーなど、各種の操作キーを有する。領域指定コピーキー６ａは、原稿の指定された領域のみをコピーする場合に操作するキーである。
【００１３】
表示部７は、操作部６のキー操作により入力された電話番号、ＦＡＸ番号等を表示する。ＬＡＮＩ／Ｆ８は、装置をＬＡＮ１４に接続するためのものである。
【００１４】
ＲＯＭ９は、この複合機全体の動作を制御するためのプログラム等を予め格納してある。ＲＡＭ１０は、主制御部１による制御に必要なデータ及び制御動作時に一時記憶が必要なデータ等を記憶する。画像メモリ１１は、スキャナ４で読み取った原稿の画情報をメモリ送信するために一時的に蓄積したり、受信した画情報をプリンタ１３により記録するまで一時的に蓄積する。
【００１５】
ＣＯＤＥＣ１２は、送信画像データをＧ３ファクシミリに適合する符号化方式（ＭＨ、ＭＲ、ＭＭＲ等）で符号化圧縮し、また受信画像データを所定の復号化方式で復号伸張する。プリンタ１３は、受信画データ、スキャナ４が読み取った原稿の画情報、また画像メモリ１１に記憶された画データを用紙に印字することにより記録してハードコピー出力を行う。
【００１６】
この実施形態（第１の実施形態）では、スキャナ４は、読み取りセンサとしてＣＣＤ４ａを備えるとともに、光源として、通常備える緑色光源４ｂの他に、マーキング判別用の赤色光源４ｃを備えている。通常、モノクロ読取装置では、緑色の光を原稿に照射して読み取りを行う。これは赤色の補色である緑色の光源を使用することにより、赤色部分（朱肉押印部など）を強調して読み取ることができるためである。緑色光源の場合、原稿中の緑色部分はドロップアウトされる。すなわち、緑色部分については、撮像素子（ＣＣＤ）の出力は、白色部分に近い値となる。
【００１７】
この実施形態では、上記のように通常読み取り用の緑色光源４ｂの他に、マーキング判別用の赤色光源４ｃを有するので、読み取り前に通常読み取り用の光源４ｂと同色の緑色で原稿に領域指定（マーキング）を行う。例えば図６の全体原稿２１に対し、領域指定用のマーク２２を緑色で手書きする。このマーク２２を記載した原稿２１に、先ず緑色光源４ｂからの光を照射し、原稿全体の読み取りデータを得る。次に赤色光源４ｃからの光を照射し、読み取った画像中よりマーク２２のデータを抽出する。次に、上記全読み取りデータの中からマーク２２に囲まれる部分の読み取りデータをコピーのための領域指定データとして出力する。
【００１８】
第１の実施形態で領域指定コピーを行う場合のコピー処理動作を、図２に示すフロー図を参照して説明する。ステップＳＴ１においては、領域指定コピーであるか否か判定する。この判定は、操作部６に設けられる領域指定コピーキー６ａが押下されたか否かにより行うことができる。領域指定コピーが指示されていない場合、通常の全領域コピーが実行される。領域指定コピーキー６ａが押下されていると、ステップＳＴ２へ移行する。ステップＳＴ２においては、緑色光源４ｂをＯＮする。次に、ステップＳＴ３へ移行する。ステップＳＴ３においては、緑色光源４ｂからの原稿への照射により、スキャナ４のＣＣＤ４ａより、第１の読み取り画像データが出力され、ＲＡＭ１０の第１メモリ１０ａに一時記憶される。この第１の読み取り画像データは、緑色で書かれたマーキング部分（マーク２２）がドロップアウトされたものである。次に、ステップＳＴ４へ移行する。
【００１９】
ステップＳＴ４においては、緑色光源４ｂをＯＦＦし、赤色光源４ｃをＯＮする。次に、ステップＳＴ５へ移行する。ステップＳＴ５においては、赤色光源４ｃからの原稿への照射により、スキャナ４のＣＣＤ４ａより、第２の読み取り画像データが出力され、ＲＡＭ１０の第２メモリ１０ｂに一時記憶される。この第２の読み取り画像データは、緑色で書かれたマーキング部分も含むが、朱肉押印部分等の赤色部分はドロップアウトされたものである。続いて、ステップＳＴ６へ移行する。
【００２０】
ステップＳＴ６においては、第２読み取り画像データと第１読み取り画像データとを比較し、第２読み取り画像データにあって、第１読み取り画像データにないデータをマーキング部分のデータと判断して、このデータをＲＡＭ１０の第３メモリ１０ｃに記憶する。続いて、ステップＳＴ７へ移行する。ステップＳＴ７においては、第１メモリ１０ａに記憶してある第１読み取り画像データ中より、マーキング部分で囲まれたデータのみをコピーすべき所望のデータとして抽出する。次に、ステップＳＴ８へ移行する。ステップＳＴ８においては、プリンタ１３で、上記抽出されたマーキング部分による指定領域の読み取り画像データをプリントする。
【００２１】
ここでは、緑色光源４ｂによる読み取りを先にし、赤色光源４ｃによる読み取りを後にしているが、この読み取り順序はいずれが先であっても良い。
【００２２】
マーキング部分の判別後、再度緑色光源４ｂからの光を照射して読み取りを行う必要はなく、マーキング判別時に既に読み取り済みの、緑色光源４ｂによる読み取り画像データを利用することにより、迅速なコピーを行うことができる。
【００２３】
次に、第２の実施形態について説明する。この実施形態では、スキャナ４において、通常の読み取り用光源に加えて、マーキング部分の検出用光源として、近紫外線（長波長の紫外線：３００〜４００ｎｍ）光であるブラックライトを有する（図１、図９に示す赤色光源４ｃに代えて使用する）。ブラックライトは蛍光色の物体を明るく光らせる青っぽい光である。この実施形態では、読み取り前に、例えば図６に示す原稿２１にブラックライト照射時に明るく発光するような蛍光ペンによりマーク２２を記入する。つまり、蛍光ペンにより領域指定（マーキング）を行う。
【００２４】
この実施形態における領域指定のコピー処理動作を図３に示すフロー図を参照して説明する。ステップＳＴ１１においては、領域指定コピーか否か判定する。領域指定コピーが指示されていない場合、通常の全領域コピー処理が実行される。操作部６の領域指定コピーキー６ａが押下されていると、ステップＳＴ１２へ移行する。ステップＳＴ１２においては、ブラックライトをＯＮする。次に、ステップＳＴ１３へ移行する。
【００２５】
ステップＳＴ１３においては、ブラックライトを原稿２１に照射し、ブレスキャンを行う。ここでは、原稿２１に対してブラックライトを照射し、その読み取り画像データを記憶する。次に、ステップＳＴ１４へ移行する。このステップＳＴ１４においては、マーキング部分データを抽出する。原稿２１にブラックライトを照射すると、蛍光ペンでマーキングした部分２２のみが反射光を強く発生するので、図７に示すように、受光レベルが閾値ＴＨ１以上の領域をマーキング部分（指定領域の周囲）と判断する。図７は（ａ）に示す原稿２１のＡ−Ａで走査した場合のＣＣＤの出力レベルを（ｂ）に示している。その後、ステップＳＴ１５へ移行する。
【００２６】
ステップＳＴ１５においては、ブラックライトをＯＦＦし、通常読み取り用の緑色光源をＯＮにする。次に、ステップＳＴ１６へ移行する。ステップＳＴ１６においては、緑色光源を原稿に照射し、本スキャンを行う。ここでは、通常の緑色光源の照射によるスキャナ４からの読み取り出力となるが、プレスキャンによりマーキング部分（図７のマーク２２）を抽出しているので、このマーキング部分に囲まれる部分のみ、読み取り画像データを出力する。ステップＳＴ１７へ移行し、プリンタ１３において、指定領域の読み取り画像データのみをプリントする。
【００２７】
この実施形態では、スキャナ４の撮像素子（ＣＣＤ）は、指定領域検出（プレスキャン）と通常読み取り（本スキャン）とで共通して使用する〔図９に示すものと同様〕。
【００２８】
なお、上記実施形態１では、原稿上に緑色のマークが残るという若干の問題があるが、この第２の実施形態では、目にほとんど見えないような白色蛍光ペンでマーキングすることにより、マーキング済みの原稿をマーキング無しの原稿と同様に取り扱うことができるという利点がある。
【００２９】
次に、第３の実施形態について説明する。
【００３０】
この実施形態は、カラー読み取り装置を備え、原稿をカラー読み取りし、指定領域検出手段は、色判別手段を備え、指定された色であると判断した部分をマーキング部分と判断する。例えば、緑色の指定領域を記載してある原稿をカラー読み取りした際、緑色であると読み取られた部分はマーキング部分、つまり指定領域であると判断する。
【００３１】
この実施形態における領域指定コピー処理動作を図４に示すフロー図を参照して説明する。ステップＳＴ２１においては、領域指定コピーキー６ａが押下されていると、ステップＳＴ２２へ移行する。領域指定コピーが指示されていない場合、通常の全領域コピー処理が実行される。ステップＳＴ２２においては、スキャナ４で、緑色でマーク２２を手書きした原稿２１のＲ、Ｇ、Ｂカラー画像信号を読み取る。次に、ステップＳＴ２３へ移行する。ステップＳＴ２３においては、３色に分離して読み取ったＲ、Ｇ、Ｂカラー信号のうち、Ｒ、Ｇ、Ｂ信号の値がそれぞれ所定の範囲に入っている緑色成分を抽出する。続いて、ステップＳＴ２４へ移行する。
【００３２】
ステップＳＴ２４においては、抽出した緑色部分データから緑色で構成されるマークを抽出する。続いて、ステップＳＴ２５へ移行する。ステップＳＴ２５においては、抽出したマークが閉じた線であるか否か判定する。閉じた線でなければステップＳＴ２４へ戻り、次の緑色のマークを抽出する。一方、閉じた線であれば、ステップＳＴ２６へ移行する。緑色のマークが閉じた線であれば、ステップＳＴ２６において、そのマークをマーキング部分と決定する。次に、ステップＳＴ２７へ移行する。ステップＳＴ２７においては、マーキング部分内の読み取り画像データをプリントする。
【００３３】
ここでは、色のみの判別のみならず、緑色部分の形状を解析し、閉じた線であるときのみ、マーキング部分であるとしているので、マーキング部分の判別精度がより向上する。つまり、マーキング部分以外の緑色部分をマーキング部分であると判断する可能性が減少する。
【００３４】
続いて、第４の実施形態について説明する。この実施形態は、光源は通常読み取り用のみの１つで良い。特徴とするところは、濃い読み取り濃度で読み取った際の第１読み取り画像データと、薄い読み取り濃度で読み取った際の第２読み取り画像データとの相違点（差分）に基づいてマーキング部分（指定領域）を判別する点である。
【００３５】
薄い蛍光ペンでマーキングを施した場合、薄い読み取り濃度では読み取ることができない（読み取り画像データに出現しない）が、濃い読み取り濃度であれば、読み取ることができる（読み取り画像データに出現する）。図８には（ａ）に示す原稿２１のＢ−Ｂで走査した場合の読み取りレベルを（ｂ）、（ｃ）に示している。（ｂ）は濃い読み取り濃度の場合であり、（ｃ）は薄い読み取り濃度の場合である。薄い読み取り濃度ではマーク２２の部分の読み取りレベルが閾値ＴＨ２を越えないが、濃い読み取り濃度ではマーク２２の部分の読み取りレベルが閾値ＴＨ２を越えている。ここでは、この差が出る現像を利用して、指定領域を判別する。
【００３６】
この実施形態における領域指定コピー処理動作を図５に示すフロー図を参照して説明する。ステップＳＴ３１においては、領域指定コピーか否か判定する。領域指定コピーが指示されていない場合、通常の全領域コピー処理が実行される。操作部６の領域指定コピーキー６ａが押下されていると、ステップＳＴ３２へ移行する。ステップＳＴ３２においては、薄い読み取り濃度で第１の読み取り画像データを得る。このデータをメモリに一時記憶する。薄い読み取り濃度なので、マーク２２の部分では、受光レベルが低く、画像データとして出現しない（背景部分と同様の出力となる）。次に、ステップＳＴ３３へ移行する。ステップＳＴ３３においては、濃い読み取り濃度で第２の読み取り画像データを得る。このデータをメモリに一時記憶する。濃い読み取り濃度なので、マーク２２の部分では、読み取り受光レベルが閾値ＴＨ２を越え、画像データとして出現する（背景部分とは区別された出力となる）。続いて、ステップＳＴ３４へ移行する。
【００３７】
ステップＳＴ３４においては、第２読み取り画像データと第１読み取り画像データとの差分を求め、差分をマーキング部分として抽出する。次に、ステップＳＴ３５へ移行する。ステップＳＴ３５においては、第１読み取り画像データと第２読み取り画像データのいずれかから、マーキング領域のデータを抽出する。続いて、ステップＳＴ３６へ移行する。ステップＳＴ３６においては、プリンタ１３で指定領域の読み取り画像データをプリントする。
【００３８】
この実施形態において、マーキング部分の抽出後は、第１読み取り画像データと第２読み取り画像データのいずれかから、指定領域の読み取り画像データを抽出しているが、これに代えて、再度通常の読み取り濃度によりマーキング領域を選択的に読み取って、プリント用画像データを得るようにしても良い。
【００３９】
また、本発明は、指定領域の画像のみを選択的にコピーできる点に特徴がある。上記各実施形態において、拡大／縮小コピーする場合だけでなく、等倍する場合も含むものである。拡大／縮小コピーが設定された場合、指定領域の画像のみを拡大／縮小て記録紙にプリント（記録）させる。
【００４０】
また、制御手段（主制御部１）は、等倍コピー及び拡大／縮小コピーのいずれにおいても指定領域についての記録画像が記録紙の中央部に位置するように画像記録手段（プリンタ１３）を制御する。すなわち、指定領域が原画像の端の方にあった場合でも、その指定領域の画像を記録紙の中央部に設定倍率でプリント（コピー）することができる。
【００４１】
【発明の効果】
この発明によれば、原稿に光を照射した際の反射光に基づいて、原稿に記述された指定領域を検出する指定領域検出手段と、原稿の画像を読み取って読取画像データを得る画像読取手段と、読取画像データに基づいて記録紙に画像記録を行う画像記録手段と、検出した指定領域の読取画像データを選択的に画像記録するように制御する制御手段と、を備えているので、領域指定コピーを行う際、原稿にマーキングを施して指定を行うだけで、余分な領域を含むことなくコピーができる。また、原稿のセット位置を特に意識しなくても、マーキングを施した原稿を普通にセットすれば、指定領域のみを等倍又は拡大／縮小コピーできる。
【図面の簡単な説明】
【図１】この発明が実施される複合機の構成を示すブロック図である。
【図２】この発明の第１の実施形態装置の指定領域コピー処理動作を説明するフロー図である。
【図３】この発明の第２の実施形態装置の指定領域コピー処理動作を説明するフロー図である。
【図４】この発明の第３の実施形態装置の指定領域コピー処理動作を説明するフロー図である。
【図５】この発明の第４の実施形態装置の指定領域コピー処理動作を説明するフロー図である。
【図６】指定領域コピーのための原稿の領域指定を説明する図である。
【図７】第２の実施形態装置のマーキング部分（指定領域）の抽出を説明する図である。
【図８】第４の実施形態装置のマーキング部分（指定領域）の抽出を説明する図である。
【符号の説明】
１　　　　主制御部（ＣＰＵ）
２　　　　ＮＣＵ
３　　　　ＭＯＤＥＭ
４　　　　スキャナ
４ａ　　　ＣＣＤ
４ｂ　　　緑色光源
４ｃ　　　赤色光源
５　　　　画像処理部
６　　　　操作部
６ａ　　　指定領域記録キー
７　　　　表示部
８　　　　ＬＡＮＩ／Ｆ
９　　　　ＲＯＭ
１０　　　ＲＡＭ
１１　　　画像メモリ
１２　　　ＣＯＤＥＣ
１３　　　プリンタ
【図１】
2004104198.tif 000003
【図２】
2004104198.tif 000004
【図３】
2004104198.tif 000005
【図４】
2004104198.tif 000006
【図５】
2004104198.tif 000007
【図６】
2004104198.tif 000008
【図７】
2004104198.tif 000009
【図８】
2004104198.tif 000010